(57)【特許請求の範囲】
【請求項１】
第１板材（１４）にフック部材（３３）が設けられ、前記第１板材（１４）に連結される第２板材（１９）に支持ブラケット（３４）が設けられ、この支持ブラケット（３４）に操作レバー（３６）の長手方向一端側が枢支軸（３５）廻りに回動自在に枢支され、一
端部がフック部材（３３）に引っ掛け可能な弾性引掛け部材（３７）の他端部が操作レバー（３６）の長手方向中途部に掛合保持され、
操作レバー（３６）を第２板材（１９）に近接する方向に枢支軸（３５）廻りに回動操作して一端部がフック部材（３３）に引っ掛けられた弾性引掛け部材（３７）の他端部を、該弾性引掛け部材（３７）の一端部と枢支軸（３５）とを結ぶ線分（Ｘ）を乗り越えさせて、操作レバー（３６）の長手方向中途部を第２板材（１９）若しくは支持ブラケット（３４）に接当させることにより、第２板材（１９）を第１板材（１４）に圧接すべくフック部材（３３）を弾性引掛け部材（３７）で弾性的に引っ張るようにした止め具であって、
支持ブラケット（３４）は互いに対応する取付孔（３９）を有する一対の起立片（４０）を備え、操作レバー（３６）はその長手方向一端側に、前記一対の起立片（４０）間に嵌合されかつ二叉状になっていて互いの離間幅が弾性変形により縮小可能とされた一対の嵌合片（４６）を有し、一対の嵌合片（４６）の外面に、対応する起立片（４０）の取付孔（３９）に挿入される前記枢支軸（３５）が一体に突設され、
前記各枢支軸（３５）の軸端面が、該枢支軸（３５）の軸心を横切り且つ該枢支軸（３５）の軸心に対して傾斜する傾斜面（４７）に形成され、
操作レバー（３６）の長手方向中途部を第２板材（１９）若しくは支持ブラケット（３４）に接当させた前記状態において、枢支軸（３５）の軸方向長さが、第２板材（１９）に近い側が短く、第２板材（１９）から遠い側が長くなるように前記傾斜面（４７）が形成されていることを特徴とする止め具。
【請求項２】
ロータリ耕耘機（１）の後部カバー（１４）の下端側に設けられた切欠き部（１８）を閉鎖カバー（１９）で着脱自在に塞ぐために使用される止め具であって、
前記第１板材（１４）が後部カバーとされ、前記第２板材（１９）が閉鎖カバーとされていることを特徴とする請求項１に記載の止め具。
【発明の詳細な説明】
【技術分野】
【０００１】
本発明は、例えば、ロータリ耕耘機の後部カバーの下端側の左右両側に設けられた切欠き部を閉鎖カバーで着脱自在に塞ぐために使用される止め具に関するものである。
【背景技術】
【０００２】
例えばロータリ耕耘機には後部カバーの下端側の左右両側に切欠き部を設け、切欠き部を閉鎖カバーで着脱自在に塞ぐために、止め具を設けたものがある。この止め具は、後部カバーにフック部材が設けられ、閉鎖カバーに支持ブラケットが設けられ、この支持ブラケットに操作レバーが枢支軸廻りに回動自在に枢支されており、一端部がフック部材に引っ掛け可能な弾性引掛け部材の他端部が操作レバーの枢支軸とは離間した位置に掛合保持され、操作レバーを枢支軸廻りに回動操作して一端部がフック部材に引っ掛けられた弾性引掛け部材の他端部を、一端部と枢支軸とを結ぶ線分を乗り越えさせて、操作レバーの遊端側を閉鎖カバーに接当させることにより、閉鎖カバー（第２板材）を後部カバー（第１板材）に圧接すべくフック部材を弾性引掛け部材で弾性的に引っ張るように構成されている（例えば特許文献１、特許文献２）。
【０００３】
この種の従来の止め具では、支持ブラケットに操作レバーを枢支軸廻りに回動自在に枢支するために、頭付きピンや割ピンを使用し、支持ブラケット及び操作レバーに頭付きピンや割ピンを挿通保持する構造になっていた（例えば特許文献１、特許文献２）。
【先行技術文献】
【特許文献】
【０００４】
【特許文献１】特開２００５−１３０８２４号公報
【特許文献２】特開２００５−１３０８２５号公報
【発明の概要】
【発明が解決しようとする課題】
【０００５】
従って、従来では操作レバーを支持ブラケットに組み付ける際に、頭付きピンや割ピンを使用するため、組み付け作業に手間がかかっており、また、部品点数も多くなり組み付けが面倒になっていた。
本発明は上記問題点に鑑み、部品点数を少なくすると共に操作レバーを支持ブラケットに容易に組み付けることができるようにしたものである。
【課題を解決するための手段】
【０００６】
この技術的課題を解決する本発明の技術的手段は、第１板材にフック部材が設けられ、前記第１板材に連結される第２板材に支持ブラケットが設けられ、この支持ブラケットに操作レバーの長手方向一端側が枢支軸廻りに回動自在に枢支され、一端部がフック部材に引っ掛け可能な弾性引掛け部材の他端部が操作レバーの長手方向中途部に掛合保持され、
操作レバーを第２板材に近接する方向に枢支軸廻りに回動操作して一端部がフック部材に引っ掛けられた弾性引掛け部材の他端部を、該弾性引掛け部材の一端部と枢支軸とを結ぶ線分を乗り越えさせて、操作レバーの長手方向中途部を第２板材若しくは支持ブラケットに接当させることにより、第２板材を第１板材に圧接すべくフック部材を弾性引掛け部材で弾性的に引っ張るようにした止め具であって、
支持ブラケットは互いに対応する取付孔を有する一対の起立片を備え、操作レバーはその長手方向一端側に、前記一対の起立片間に嵌合されかつ二叉状になっていて互いの離間幅が弾性変形により縮小可能とされた一対の嵌合片を有し、一対の嵌合片の外面に、対応する起立片の取付孔に挿入される前記枢支軸が一体に突設され、
前記各枢支軸の軸端面が、該枢支軸の軸心を横切り且つ該枢支軸の軸心に対して傾斜する傾斜面に形成され、
操作レバーの長手方向中途部を第２板材若しくは支持ブラケットに接当させた前記状態において、枢支軸の軸方向長さが、第２板材に近い側が短く、第２板材から遠い側が長くなるように前記傾斜面が形成されている点にある。
【０００７】
従って、頭付きピンや割ピンが不要になって、部品点数が少なくなると共に一対の嵌合片の弾性変形を利用して操作レバーを支持ブラケットに容易に組み付けることができるようになり、止め具で第２板材を第１板材に容易に連結できる。
また、一対の嵌合片を支持ブラケットの一対の起立片間に、枢支軸の軸方向に短く形成されている側から嵌合挿入していけば、一対の嵌合片は互いの離間幅が弾性変形によりスムーズに縮小して一対の起立片間に嵌合され、枢支軸が枢支軸の傾斜面に案内されて枢支軸が取付孔に内側から簡単に挿入され、操作レバーを支持ブラケットに組み付ける際に、組み付け作業により一層手間がかからず済む。
【０００８】
また、本発明の他の技術的手段は、ロータリ耕耘機の後部カバーの下端側に設けられた切欠き部を閉鎖カバーで着脱自在に塞ぐために使用される止め具であって、
前記第１板材が後部カバーとされ、前記第２板材が閉鎖カバーとされている点にある。
従って、頭付きピンや割ピンが不要になって、部品点数が少なくなると共に一対の嵌合片の弾性変形を利用して操作レバーを支持ブラケットに容易に組み付けることができるようになり、止め具で閉鎖カバーを後部カバーに容易に連結できる。
【発明の効果】
【０００９】
本発明によれば、部品点数を少なくなるし、操作レバーを支持ブラケットに容易に組み付けることができるようになる。
【図面の簡単な説明】
【００１０】
【図１】本発明の一実施形態を示す止め具の平面図である。
【図２】同止め具の側面図である。
【図３】同図１のＡ−Ａ線断面図である。
【図４】同耕耘カバーの側部下部を背面側から見た図である。
【図５】同後部カバーの下部及び閉鎖カバーの側面図である。
【図６】同ロータリ耕耘機の側面図である。
【発明を実施するための形態】
【００１１】
以下、本発明の実施の形態を図面を参照して説明する。
図６において、１はトラクタの後部に三点リンク機構を介して昇降自在に装着されるロータリ耕耘機（作業機）である。
このロータリ耕耘機１は、中央のギヤケースから左右にサポートアーム２を突設し、一方のサポートアーム２の左右方向外端側に伝動ケース３の上部を固定すると共に、他方のサポートアーム２の左右方向外端側にサイドフレームの上部を固定して門型に主構成された機枠４を有する。
【００１２】
この機枠４のギヤケースにはトップマスト５が上方突出状に固定され、このトップマスト５にはトップリンク取付ブラケット６が設けられ、このトップリンク取付ブラケット６の前端側にトップリンクの後端側が連結される。
また、機枠４の左右各サポートアーム２にはロワーリンク取付支持ブラケット７が固定され、このロワーリンク取付支持ブラケット７の前端側に連結ピンを介してロワーリンクの後端側が連結される。
【００１３】
また、機枠４の下部には、伝動ケース３とサイドフレームとの下部間に左右方向の軸心廻りに回動自在に支持された爪軸８と、この爪軸８に取り付けられた多数の耕耘爪９とを有するロータリ耕耘部１０が設けられている。
なお、トラクタのＰＴＯ軸からＰＩＣ軸１１を介してギヤケースに入力された動力は、ギヤケース内の動力伝達機構、サポートアーム２内の伝動軸、伝動ケース３内の動力伝達機構を経て爪軸８に伝達されて該爪軸８が、例えば、矢示Ａ方向に回転駆動されるように構成されている。
【００１４】
また、機枠４には、ロータリ耕耘部１０を覆う耕耘カバー１２が支持されている。
この耕耘カバー１２は、ロータリ耕耘部１０の上方側を覆う主カバー１３と、ロータリ耕耘部１０の後方側を覆う後部カバー１４と、ロータリ耕耘部１０の上部の左右両側を覆う前後一対の側部カバー１５Ｆ，１５Ｒとを備えている。
後部カバー１４は、その上端側が主カバー１３の後端側に支軸１６を介して左右方向の軸心廻りに回動自在に支持されている。
【００１５】
また、主カバー１３の後部上面側と、後部カバー１４の背面側の上下中途部とに亘って弾下ロッド１７が設けられ、この弾下ロッド１７に套嵌される弾下用のコイルバネによって、後部カバー１４がロータリ耕耘部１０側に向けて付勢されるように構成されている。
後部カバー１４は、ロータリ耕耘部１０の後方を覆う主要部１４ａと、後部カバー１４の下端側に位置していて圃場に接地して該圃場を整地する整地部１４ｂとを有する。
【００１６】
図４に示すように、本実施の形態にあっては、後部カバー１４の下端側の左右両側には、主要部１４ａの下端側の左右両側部から整地部１４ｂの左右両端側に亘って切り欠かれた、左右方向外方及び下方に開放状の切欠き部１８が設けられていると共に、この切欠き部１８を塞ぐ着脱自在な閉鎖カバー１９を有し、本実施の形態では、後部カバー１４は、切欠き部１８を有する主体側と、閉鎖カバー１９とから構成されており、前記閉鎖カバー１９は、後部カバー１４の主要部１４ａの下端側左右方向外端側の一部及び整地部１４ｂの左右方向外端側の一部を構成している。
【００１７】
なお、前記閉鎖カバー１９は、ロータリ耕耘機１に倍土器等を取り付けるときに取り外される。
左右各閉鎖カバー１９の下端部の背面側には、パイプ材等からなる差込み部材２０が左右方向に設けられ、この差込み部材２０の左右方向内方側は、小径に形成されて差込み部２０ａとされていると共に閉鎖カバー１９から左右方向内方に突出している。
【００１８】
一方、後部カバー１４の主体側の整地部１４ｂ下端側は、図５に示すように、背面側に円弧状に折り返されると共に端部が背面側に重合固定されており、この折返し部分２１の左右両側に、前記閉鎖カバー１９の差込み部材２０の差込み部２０ａが差し込まれる筒部材からなる被差込み部材２２が挿入されて固定されている。図４に示すように、後部カバー１４の下端側の左右両側には、整地部１４ｂから左右方向外側方に突出して該整地部１４ｂと共に圃場を整地する延長整地部２７が設けられている。
【００１９】
図２に示すように閉鎖カバー１９の後部カバー１４側端部は裏面側に凹んだ凹状部２９と表面側に突出した凸状部３０とが波形に設けられ、後部カバー１４の端部が凸状部３０の裏面側を通って後部カバー１４の端縁が凹状部２９に接当するようになっている。
図１、図２、図４において、後部カバー（第１板材）１４と閉鎖カバー（第２板材）１９との間に切欠き部１８を閉鎖カバー１９で着脱自在に塞ぐために後部カバー１４と閉鎖カバー１９とを連結する止め具３１が設けられている。
【００２０】
止め具３１は、後部カバー１４に設けられたフック部材３３と、閉鎖カバー１９に設けられた支持ブラケット３４と、この支持ブラケット３４に枢支軸３５廻りに回動自在に枢
支された操作レバー３６と、一端部がフック部材３３に引っ掛け可能な弾性引掛け部材３７とを備えている。
フック部材３３は金属板等により構成され、リベットやボルトナット等の固定具により後部カバー１４に固着されている。支持ブラケット３４は金属板等でコの字状に形成され、互いに対応する取付孔３９を有する一対の起立片４０を備え、閉鎖カバー１９の凸状部３０に溶接やボルトナット等の固定具により固定されている。
【００２１】
操作レバー３６は、合成樹脂により一体成形され、背板部４２と背板部４２の左右両側から突出した左右一対の側板部４３とを備え、一対の側板部４３に挿通孔４５が設けられている。操作レバー３６に一対の嵌合片４６が一体に突設されており、一対の嵌合片４６は二叉状になっていて互いの離間幅が弾性変形により縮小可能とされ、一対の起立片４０間に嵌合されている。一対の嵌合片４６の外面に、対応する起立片４０の取付孔３９に挿入される前記枢支軸３５が一体に突設されている。図３に示すように、枢支軸３５を取付孔３９に挿入するときに案内する傾斜面４７が枢支軸３５の軸端に軸心に対して傾斜して設けられている。枢支軸３５の外周面は、後述する弾性引掛け部材３７の引っ張り力を受ける側の面が軸方向長さの最も短い面から周方向にずれた位置に設定されている。
【００２２】
弾性引掛け部材３７は、一端側に引っ掛け部４９と引っ掛け部４９の左右両側に左右一対の弾性コイル部５０とを有し、他端側にフック状に屈曲した左右一対の掛合部５１を有し、引っ掛け部４９がフック部材３３に引っ掛け可能とされ、一対の掛合部５１が操作レバー３６の挿通孔４５に挿通されており、これにより、弾性引掛け部材３７の他端部が操作レバー３６の枢支軸３５とは離間した位置に掛合保持され、弾性引掛け部材３７の一端部がフック部材３３に引っ掛け可能とされている。
【００２３】
而して、操作レバー３６を枢支軸３５廻りに回動操作して一端部がフック部材３３に引っ掛けられた弾性引掛け部材３７の他端部を、一端部（引っ掛け部４９）と枢支軸３５とを結ぶ線分Ｘを乗り越えさせて、操作レバー３６の遊端側を閉鎖カバー１９に接当させることにより、閉鎖カバー１９を後部カバー１４に圧接すべくフック部材３３を弾性引掛け部材３７で弾性的に引っ張るように構成されている。
【００２４】
上記実施の形態によれば、操作レバー３６を支持ブラケット３４に組み付ける場合、図３に示すように、一対の嵌合片４６を支持ブラケット３４の一対の起立片４０間に、枢支軸３５の軸方向に短く形成されている側から嵌合挿入していけば、一対の嵌合片４６は互いの離間幅が弾性変形により縮小して一対の起立片４０間に嵌合され、枢支軸３５が枢支軸３５の傾斜面４７に案内されて枢支軸３５が取付孔３９に内側から簡単に挿入され、操作レバー３６を支持ブラケット３４に組み付ける際に、工具なしでワンタッチで組み付け可能になる。また、頭付きピンや割ピンが不要になるため、部品点数が少なくなると共に組み付け作業に手間がかからず済み、操作レバー３６を支持ブラケット３４に容易に組み付けることができるようになる。そして、操作レバー３６を支持ブラケット３４に組み付けた後は、枢支軸３５の外周面は、弾性引掛け部材３７の引っ張り力を受ける側の面が直径方向の反対側の面よりも軸方向に長く形成されているため、枢支軸３５が取付孔３９から不測に抜けるおそれもなくなり、閉鎖カバー１９を後部カバー１４に圧接して、閉鎖カバー１９を後部カバー１４に確実に連結することができる。
【００２５】
なお、上記実施の形態では、本発明の止め具を、ロータリ耕耘機１の後部カバー１４の下端側に設けられた切欠き部１８を閉鎖カバー１９で着脱自在に塞ぐために適用実施しているが、これに代え、本発明の止め具はロータリ耕耘機１以外の板材と板材とを着脱自在に連結するものについても適用実施することができる。
また、上記実施の形態では、弾性引掛け部材３７の他端部を、一端部と枢支軸３５とを結ぶ線分Ｘを乗り越えさせて、操作レバー３６の遊端側を第２板材１９に接当させることにより、第２板材１９を第１板材１４に圧接すべくフック部材３３を弾性引掛け部材３７で弾性的に引っ張るようにしているが、これに代え、支持ブラケット３４の取付部を閉鎖カバー（第２板材）１９側に延長し、操作レバー３６の遊端側を支持ブラケット３４に接当させることにより、第２板材１９を第１板材１４に圧接すべくフック部材３３を弾性引掛け部材３７で弾性的に引っ張るようにしてもよい。
【符号の説明】
【００２６】
１    ロータリ耕耘機
１４    後部カバー
１８    切欠き部
１９    閉鎖カバー
３４    支持ブラケット
３３    フック部材
３５    枢支軸
３６    操作レバー
３７    弾性引掛け部材
３９    取付孔
４０    起立片
４５    嵌合片
４７    傾斜面
【図１】
0005463123.tif 000002
【図２】
0005463123.tif 000003
【図３】
0005463123.tif 000004
【図４】
0005463123.tif 000005
【図５】
0005463123.tif 000006
【図６】
0005463123.tif 000007